(57)【要約】【課題】ハウジングに挿入された挿入体を排出するためのイジェクタ機構と、挿入体がハウジングに挿入された状態において挿入体をロックするロックばねを有するロック機構とを備えたコネクタにおいて、ロックばねの保持力を向上させたコネクタを提供する。【解決手段】コネクタ１のイジェクタ機構４０を構成する押圧部材４１には、ロックばね５１に向かって突出する第１凸部４１ｃが設けられるとともに、ロックばね５１の固定端５１ｃと自由端５１ｄとの間には、押圧部材４１に向かって突出する第２凸部５１ｅが設けられる。ロック部５１ｂによる挿入体６０の被ロック部６５ｂへのロック時に、ロックばね５１の自由端５１ｄが押圧部材４１に当接するとともに、ロックばね５１の第２凸部５１ｅが押圧部材４１の第１凸部４１ｃに当接する。【選択図】図９
0003189346.tif 000002
【実用新案登録請求の範囲】
【請求項１】
挿入体が挿入されるハウジングと、該ハウジングに固定された複数のコンタクトと、前記ハウジングに挿入された前記挿入体を排出するためのイジェクタ機構と、前記挿入体の挿入完了状態において前記挿入体をロックするロックばねを有するロック機構とを備えたコネクタであって、
前記イジェクタ機構は、前記ハウジングに回転可能に軸支され、前記ハウジングに挿入された前記挿入体を排出するイジェクトアームと、外部から押圧されることにより一端で前記イジェクトアームを駆動する押圧部材とを備え、
前記ロック機構のロックばねは、前記ハウジングに固定されて片持ち梁状に延びるともに、その自由端近傍に前記挿入体の挿入完了状態において前記挿入体に設けられた被ロック部をロックするロック部を有し、
前記押圧部材には、前記ロックばねに向かって突出する第１凸部が設けられるとともに、前記ロックばねの固定端と自由端との間には、前記押圧部材に向かって突出する第２凸部が設けられ、前記ロック部による前記被ロック部のロック時に、前記ロックばねの自由端が前記押圧部材に当接するとともに、前記ロックばねの第２凸部が前記押圧部材の第１凸部に当接することを特徴とするコネクタ。
【請求項２】
前記押圧部材には、前記挿入体の挿入時及び排出時における前記ロック部が前記被ロック部をロックしない時に、前記ロックばねの自由端の通過を許容する開口部が形成されていることを特徴とする請求項１記載のコネクタ。
【請求項３】
前記第２凸部は、前記ロック部を挟んで前記自由端と反対側のロック部の近傍に設けられていることを特徴とする請求項１又は２記載のコネクタ。
【請求項４】
前記挿入体は、カードを搭載したカード用トレイであることを特徴とする請求項１乃至３のうち何れか一項に記載のコネクタ。
【請求項５】
前記挿入体は、カード単体であることを特徴とする請求項１乃至３のうち何れか一項に記載のコネクタ。
【請求項６】
前記挿入体は、カード用トレイ単体であることを特徴とする請求項１乃至３のうち何れか一項に記載のコネクタ。
【考案の詳細な説明】
【技術分野】
【０００１】
本考案は、ハウジングに挿入された挿入体を排出するためのイジェクタ機構と、挿入体がハウジングに挿入された状態において挿入体をロックするロックばねを有するロック機構とを備えたコネクタに関する。
【背景技術】
【０００２】
従来、メモリカードやＳＩＭ（加入者識別モジュール）カードなどの挿入体が挿入されるコネクタは、挿入体を排出するためのイジェクタ機構と、ハウジングに挿入された挿入体をロックするロックばねを有するロック機構を備えていることが多い。
従来のこの種のコネクタとして、例えば、特許文献１に示すコネクタが提案されている。
【０００３】
特許文献１に示すコネクタは、ハウジングに挿入された挿入体を排出するためのイジェクタ機構と、挿入体がハウジングに挿入された状態において挿入体をロックするロックばねとを備えている。イジェクタ機構は、ハウジングに回転可能に軸支されたイジェクトアームと、外部から押圧されることにより一端でイジェクトアームを駆動する押圧部材とを備えている。
【０００４】
ここで、ロックばねは、イジェクタ機構の押圧部材から片持ち梁状に延びる弾性変形可能な板ばね状に形成され、その自由端近傍にロック部を設けている。このロック部は、板の主面の法線方向が挿入体の挿入方向と直交するハウジングの幅方向を向くように、幅方向内側に湾曲して突出している。そして、ロック部は、挿入体がハウジングに挿入された状態において挿入体の側面に設けられた凹部に入り込み、挿入体の排出を防止する。なお、ロックばねの自由端は、ストッパに係止されている。
【先行技術文献】
【特許文献】
【０００５】
【特許文献１】特開２０１３−５１１３４号公報
【考案の概要】
【考案が解決しようとする課題】
【０００６】
しかしながら、この従来の特許文献１に示したコネクタにあっては、以下の問題点があった。
即ち、挿入体がハウジングに挿入された状態でロック部に過大な荷重がかかると、挿入体がハウジングから脱落してしまうことがある。つまり、挿入体がハウジングに挿入された状態で例えばコネクタが落下したり激しく振動したりすると、ロック部に過大な荷重がかかる。ロック部に過大な荷重がかかると、ロック部が潰れる方向に変形してしまうのである。ロックばねの自由端、すなわちロック部の自由端はストッパに係止されてロック部の自由端の変位は防止されている。しかし、ロックばねの固定端からロック部の自由端までの間は如何なる部材によっても支持されていない。このため、ロックばねの固定端からロック部の自由端までの間は容易に変形が可能であり、過大な荷重がかかった際に、ロック部は潰れる方向に変形してしまうのである。
【０００７】
従って、本考案はこの問題点に鑑みてなされたものであり、その目的は、ハウジングに挿入された挿入体を排出するためのイジェクタ機構と、挿入体がハウジングに挿入された状態において挿入体をロックするロックばねを有するロック機構とを備えたコネクタにおいて、ロックばねの保持力を向上させたコネクタを提供することにある。
【課題を解決するための手段】
【０００８】
上記目的を達成するために、本考案のある態様に係るコネクタは、挿入体が挿入されるハウジングと、該ハウジングに固定された複数のコンタクトと、前記ハウジングに挿入された前記挿入体を排出するためのイジェクタ機構と、前記挿入体の挿入完了状態において前記挿入体をロックするロックばねを有するロック機構とを備えたコネクタであって、前記イジェクタ機構は、前記ハウジングに回転可能に軸支され、前記ハウジングに挿入された前記挿入体を排出するイジェクトアームと、外部から押圧されることにより一端で前記イジェクトアームを駆動する押圧部材とを備え、前記ロック機構のロックばねは、前記ハウジングに固定されて片持ち梁状に延びるともに、その自由端近傍に前記挿入体の挿入完了状態において前記挿入体に設けられた被ロック部をロックするロック部を有し、前記押圧部材には、前記ロックばねに向かって突出する第１凸部が設けられるとともに、前記ロックばねの固定端と自由端との間には、前記押圧部材に向かって突出する第２凸部が設けられ、前記ロック部による前記被ロック部のロック時に、前記ロックばねの自由端が前記押圧部材に当接するとともに、前記ロックばねの第２凸部が前記押圧部材の第１凸部に当接することを特徴としている。
【０００９】
また、このコネクタにおいて、前記押圧部材には、前記挿入体の挿入時及び排出時における前記ロック部が前記被ロック部をロックしない時に、前記ロックばねの自由端の通過を許容する開口部が形成されていることが好ましい。
また、このコネクタにおいて、前記第２凸部は、前記ロック部を挟んで前記自由端と反対側のロック部の近傍に設けられていることが好ましい。
【００１０】
また、このコネクタにおいて、前記挿入体は、カードを搭載したカード用トレイであることが好ましい。
また、このコネクタにおいて、前記挿入体は、カード単体であってもよい。
更に、前記挿入体は、カード用トレイ単体であってもよい。
【考案の効果】
【００１１】
本考案に係るコネクタによれば、押圧部材には、ロックばねに向かって突出する第１凸部が設けられるとともに、ロックばねの固定端と自由端との間には、押圧部材に向かって突出する第２凸部が設けられる。そして、ロック部による挿入体の被ロック部へのロック時に、ロックばねの自由端が押圧部材に当接するとともに、ロックばねの第２凸部が押圧部材の第１凸部に当接する。このため、ロックばねのロック部が挿入体の被ロック部をロックした時には、ロックばねは、自由端及びの第２凸部の２点によって押圧部材に支持される。このため、ロックばねの固定端から自由端までの間は一点で支持されるよりも変形し難くなる。これにより、ロック部に過大な荷重がかかった際に、ロック部が潰れる方向に変形してしまうおそれを少なくすることができ、ロックばねの保持力を向上させることができる。
【００１２】
また、ロック部による挿入体の被ロック部へのロック時には、ロックばねの自由端が押圧部材に当接するとともに、ロックばねの第２凸部が押圧部材の第１凸部に当接する。このため、押圧部材のロックばねに対する当接は、押圧部材とロックばねの自由端、押圧部材の第１凸部とロックばねの第２凸部との凸凸同士で達成されている。これにより、押圧部材がスライドする際に、それらの当接状態を容易に解除でき、押圧部材を容易にスライドさせることができる。
【図面の簡単な説明】
【００１３】
【図１】本考案に係るコネクタを、カードを搭載したカード用トレイ及びピンとともに示す斜視図である。
【図２】図１に示すコネクタと、カードを搭載したカード用トレイと、ピンとを分解して示す、右斜め前方から視た分解斜視図である。
【図３】図１に示すコネクタと、カードを搭載したカード用トレイと、ピンとを分解して示す、左斜め前方から視た分解斜視図である。
【図４】カードとカード用トレイとを示す斜視図である。
【図５】カードを搭載したカード用トレイがハウジングに挿入される前の状態の図１に示すコネクタからシェルを取り外した状態を示し、（Ａ）は平面図、（Ｂ）は（Ａ）における５Ｂ−５Ｂ線に沿う断面図である。
【図６】カードを搭載したカード用トレイの挿入が完了した状態からシェルを取り外した状態を示し、（Ａ）は平面図、（Ｂ）は（Ａ）における６Ｂ−６Ｂ線に沿う断面図である。但し、図６においては、カードを搭載したカード用トレイは図示していない。
【図７】カードを搭載したカード用トレイがハウジングに挿入されてイジェクトアームの他端に当接した状態からシェルを取り外した状態を示し、（Ａ）は斜視図、（Ｂ）は（Ａ）における矢印７Ｂで示す部分の拡大図である。
【図８】カードを搭載したカード用トレイがハウジングに挿入されてイジェクトアームの他端に当接した状態からシェルを取り外した状態を示し、（Ａ）は平面図、（Ｂ）は右側面図、（Ｃ）は（Ｂ）における矢印８Ｃで示す部分の拡大図である。
【図９】カードを搭載したカード用トレイの挿入が完了した状態からシェルを取り外した状態を示し、（Ａ）は平面図、（Ｂ）は右側面図である。
【図１０】カードを搭載したカード用トレイの挿入が完了した状態からピンが押圧部材の他端に当接した状態を示し、（Ａ）は平面図、（Ｂ）は右側面図である。
【図１１】図１０に示す状態からピンの押圧が進行し、カードを搭載したカード用トレイの排出が完了した状態を示し、（Ａ）は平面図、（Ｂ）は右側面図である。
【考案を実施するための形態】
【００１４】
以下、本考案の実施の形態を図面を参照して説明する。
図１に示すコネクタ１は、図示しない回路基板上に実装される。そして、コネクタ１には、図１に示すように、メモリカード、ＳＩＭカード等のカードＣを搭載した、挿入体としてのカード用トレイ６０が挿入及び排出される。このカード用トレイ６０は、図１、図５、図６、図７、図８及び図９において矢印Ｘで示すトレイ挿入方向（前から後ろ向き）にコネクタ１に挿入される。また、カード用トレイ６０は、図１、図５、図６、図１０及び図１１において矢印Ｙで示すトレイ排出方向（後から前向き）にピン７０を用いてコネクタ１から排出される。カード用トレイ６０に搭載されたカードＣがコネクタ１に挿入されることにより、カードＣと回路基板との電気的接続が達成される。
【００１５】
ここで、カード用トレイ６０は、図２乃至図４に示すように、幅方向（図２おける左右方向）及び前後方向（図２における下方を前方、上方を後方）に延びる略矩形状のカード保持体６１を備えている。カード保持体６１には、カードＣを収容する凹部６１ａが形成されている。カード保持体６１の前部には、カード保持体６１よりも幅方向に突出するように延びる前端壁６２が設けられている。そして、前端壁６２の後面であってカード保持体６１よりも幅方向に突出した部分には、筒状部６３が形成されている。そして、筒状部６３には、前端壁６２の前面から筒状部６３の後端面を貫通するピン用貫通孔６４が形成されている。なお、カード保持体６１の凹部６１ａの底壁には、図４に示すように、大きな矩形状の開口６１ｂが形成されている。この開口６１ｂは、後述するコネクタ１の複数のコンタクト２０がカードＣの裏面に形成された複数の接触パッド（図示せず）に接触することを可能にするものである。
【００１６】
また、カード用トレイ６０のカード保持体６１の幅方向右側面には、図４に示すように、後方部に位置する第１凹部６５ａと、前後略中央部に位置する被ロック部としての第２凹部６５ｂとが設けられている。一方、カード用トレイ６０のカード保持体６１の幅方向左側面には、図３及び図８（Ａ）に示すように、第１凹部６５ａと幅方向で対称に位置する第３凹部６６ａと、第２凹部６５ｂと幅方向に対称に位置する第４凹部６６ｂとが設けられている。
【００１７】
次に、コネクタ１は、図１乃至図３、図５（Ａ）,（Ｂ）及び図６（Ａ）,（Ｂ）に示すように、合成樹脂製のハウジング１０と、金属製の複数のコンタクト２０と、金属製のシェル３０と、イジェクタ機構４０と、ロック機構５０とを備えている。
ここで、ハウジング１０は、図５（Ａ）に示すように、幅方向（図５（Ａ）における左右方向）及び前後方向（図５（Ａ）における下方を前方、上方を後方）に延びる略矩形状に形成された底壁１１を備えている。この底壁１１の幅方向左縁には左側壁１２が設けられ、側壁１１の幅方向右縁には右側壁１３が設けられている。また、底壁１１の後縁には、後壁１４が設けられている。そして、ハウジング１０の底壁１１上には、前側が開放しているトレイ挿入空間１５が形成されている。カードＣを搭載したカード用トレイ６０は、図１に示すように、ハウジング１０の前側からトレイ挿入空間１５内に挿入されて、矢印Ｘで示すトレイ挿入方向に進行する。また、カードＣを搭載したカード用トレイ６０は、トレイ挿入空間１５から矢印Ｙで示すトレイ排出方向にピン７０を用いて排出される。また、底壁１１のトレイ挿入空間１５の幅方向右側には、後述するロック機構５０の第１ロックばね５１を固定する固定部１６が設けられている。また、底壁１１のトレイ挿入空間１５の幅方向右側であって固定部１６の前方には、後述する押圧部材４１のスライド動作を案内する突起部１７が設けられている。
【００１８】
また、複数のコンタクト２０は、図５（Ａ），（Ｂ）に示すように、ハウジング１０の幅方向に沿って底壁１１に前後２列状に配置されている。各コンタクト２０は、トレイ挿入空間１５に挿入されたカードＣの裏面に設けられた接触パッドに接触するとともに、回路基板に接続される。各コンタクト２０は、導電性金属板を打抜き及び曲げ加工することによって形成される。
【００１９】
また、シェル３０は、図１乃至図３に示すように、ハウジング１０の上側に装着される。シェル３０は、図１に示すように、ハウジング１０の上面を覆う平面部３１と、ハウジング１０の幅方向両側面を覆う１対の側面部３２と、ハウジング１０の後面を覆う後面部３３とを備えている。平面部３１は、ハウジング１０の幅方向及び前後方向に延びる。各側面部３２は、平面部３１の幅方向各側面から下方に延びる。また、後面部３３は、平面部３１の後面から下方に延びている。シェル３０は、導電性金属板を打抜き及び曲げ加工することによって形成される。
【００２０】
更に、イジェクタ機構４０は、トレイ挿入空間１５に挿入された、カードＣを搭載したカード用トレイ６０を排出するものであり、図５（Ａ）及び図６（Ａ）に示すように、イジェクトアーム４２と、押圧部材４１とを備えている。
イジェクトアーム４２は、ハウジング１０の底壁１１の後端部近傍に設けられた回転軸４３に対して回転可能に軸支されている。イジェクトアーム４１は、金属製の平板状部材で、イジェクトアーム４２の一端４２ａはハウジング１０の幅方向右端近傍に位置し、他端４２ｂはカード用トレイ挿入空間１５内に位置している。イジェクトアーム４２は、図１０（Ａ）及び図１１（Ａ）に示すように、その他端４２ｂでトレイ挿入空間１５に挿入されたカード用トレイ６０の後縁を押圧してカード用トレイ６０を排出する。
【００２１】
また、押圧部材４１は、ハウジング１０の幅方向右端近傍に配置され、後方向（トレイ挿入方向Ｘ）及び前方向（トレイ排出方向Ｙ）にスライドする。そして、押圧部材４１は、金属製の板状部材で構成されている。押圧部材４１は、一端４１ａがある後側がハウジング１０に設けられた固定部１６の幅方向右側面１６ａと右側壁１３の幅方向左側面１３ａとの間に配置される。また、押圧部材４１は、他端４１ｂがある前側が突起部１７と右側壁１３の幅方向左側面１３ａとの間に配置される。そして、押圧部材４１は、板の主面の法線方向がハウジング１０の幅方向と一致するように配置される。押圧部材４１のスライド動作は、固定部１６の幅方向右側面１６ａと右側壁１３の幅方向左側面１３ａ及び突起部１７と右側壁１３の幅方向左側面１３ａにより案内される。また、押圧部材４１の一端４１ａは、幅方向内側に曲げられてその後面でイジェクトアーム４２の一端４２ａに当接する。また、押圧部材４１の他端４１ｂは、幅方向内側に曲げられてその前面をピン７０が押圧する（図１０（Ａ），（Ｂ）参照）。
【００２２】
そして、押圧部材４１の他端４１ｂがピン７０により後方向に押圧されると、押圧部材４１は後方向Ｘにスライド動作する。すると、押圧部材４１の一端４１ａがイジェクトアーム４１の一端４２ａを後方向に押圧し、イジェクトアーム４２が回転軸４３を中心に平面から視て反時計回りに回転する。これにより、イジェクトアーム４２の他端４２ｂが前方向（トレイ排出方向）にカード用トレイ６０を移動させるのである。
【００２３】
また、ロック機構５０は、カード用トレイ６０の挿入が完了した状態において、そのカード用トレイ６０をロックするものである。このロック機構５０は、図５（Ａ）及び図６（Ａ）に示すロックばねとしての第１ロックばね５１と、図２及び図３に示す第２ロックばね５２とを備えている。
第１ロックばね５１は、ハウジング１０に設けられた固定部１６に圧入固定される金属製の板ばね部材である。第１ロックばね５１は、その後端部にある圧入固定部５１ａで固定部１６に圧入固定されて片持ち梁状に前方に向けて延びている。第１ロックばね５１は、押圧部材４１の幅方向内側（幅方向左側）において板の主面の法線方向がハウジング１０の幅方向と一致するように配置されている。そして、第１ロックばね５１の前端部近傍、すなわち自由端５１ｄの近傍にはロック部５１ｂが設けられている。ロック部５１ｂは、ハウジング１０の幅方向内側（幅方向左側）に湾曲状態で突出している。第１ロックばね５１は、ばね性を有する金属板を打ち抜き及び曲げ加工することによって形成される。
【００２４】
第１ロックばね５１のロック部５１ｂは、図５（Ａ）に示すように、カード用トレイ６０がトレイ挿入空間１５内に挿入されていない状態では、トレイ挿入空間１５内に突出している。
そして、第１ロックばね５１のロック部５１ｂは、カード用トレイ６０がトレイ挿入空間１５に挿入される途中でカード用トレイ６０の第１凹部６５ａに入り込む。そして、カード用トレイ６０のトレイ挿入空間１５への挿入が完了すると、図９（Ａ）に示すように、ロック部５１ｂは第１凹部６５ａから抜け出て第２凹部６５ｂに入り込んでカード用トレイ６０をロックする。
【００２５】
ここで、押圧部材４１の一端４１ａと他端４１ｂとの間であって固定部１６と突起部１７との間には、第１ロックばね５１に向かって突出する第１凸部４１ｃが設けられている。第１凸部４１ｃは、幅方向内側（幅方向左側）に湾曲状態で突出している。
また、第１ロックばね５１の固定端５１ｃと自由端５１ｄとの間であってロック部５１ｂを挟んで自由端５１ｄと反対側には、押圧部材４１に向かって突出する第２凸部５１ｅが設けられている。第２凸部５１ｅは、幅方向外側（幅方向右側）に湾曲状態で突出している。
【００２６】
そして、ロック部５１ｂによる第２凹部６５ｂへのロック時には、図９（Ａ）に示すように、第１ロックばね５１の自由端５１ｄが押圧部材４１に当接する。また、これと同時に、第１ロックばね５１ｂの第２凸部５１ｅが押圧部材４１の第１凸部４１ｃに当接する。
また、第２ロックばね５２は、図３に示すように、金属製のシェル３０の左側の側面部３２から片持ち梁状に前方に向けて延びるばねアーム部５２ａと、ばねアーム部５２ａの前端に設けられたロック部５２ｂとを備えている。ロック部５２ｂは、カード用トレイ６０がカード挿入空間１５内に挿入されていない状態で、トレイ挿入空間１５内に突出している。そして、ロック部５２ｂは、図示はしないが、カード用トレイ６０がハウジング１０に挿入される途中でカード用トレイ６０の第３凹部６６ａに入り込む。そして、カード用トレイ６０の挿入が完了すると、ロック部５２ｂは、図示はしないが、第３凹部６６ａから抜け出て第４凹部６６ｂに入り込む。これにより、カード用トレイ６０がロックされる。
【００２７】
なお、押圧部材４１の他端４１ｂの近傍には、図７、図８及び図１１に示すように、押圧部材４１の下縁から上方に向けて切欠かれている開口部４１ｄが形成されている。この開口部４１ｄは、カード用トレイ６０の挿入時及び排出時における第１ロックばね５１のロック部５１ｂが第２凹部６５ｂをロックしない時に、第１ロックばね５１の自由端５１ｄの通過を許容する。
【００２８】
次に、図５、図８（Ａ）,（Ｂ）、図９、図１０、及び図１１を参照して、イジェクト機構４０の動作及びロック機構５０の動作につき、詳細に説明する。
まず、ハウジング１０にカードＣを搭載したカード用トレイ６０が挿入されていない状態では、図５に示すように、イジェクト機構４０の押圧部材４１は最後方に位置し、イジェクトアーム４２の他端４２ｂはトレイ挿入空間１５内に位置している。また、第１ロックばね５１のロック部５１ｂは、図５（Ａ）に示すように、カード用トレイ６０がトレイ挿入空間１５内に挿入されていない状態では、トレイ挿入空間１５内に突出している。第２ロックばね５２のロック部５２ｂは、カード用トレイ６０がカード挿入空間１５内に挿入されていない状態で、トレイ挿入空間１５内に突出している。
【００２９】
そして、図８（Ａ），（Ｂ）に示すように、カードＣを搭載したカード用トレイ６０がトレイ挿入空間１５内に挿入されると、カード用トレイ６０の先端がイジェクトアーム４２の他端４２ｂに当接する。カード用トレイ６０がトレイ挿入空間１５内に挿入された当初は、第１ロックばね５１のロック部５１ｂは、カード用トレイ６０の右側縁に沿って幅方向外側に一旦変位する。また、第２ロックばね５２のロック部５２ｂも、カード用トレイ６０の左側縁に沿って幅方向外側に一旦変位する。そして、カード用トレイ６０がイジェクトアーム４２の他端４２ｂに当接する前に、第１ロックばね５１のロック部５１ｂはカード用トレイ６０の右側縁に沿って幅方向内側に変位してカード用トレイ６０の第１凹部６５ａに入り込む。また、第２ロックばね５２のロック部５２ｂもカード用トレイ６０の左側縁に沿って幅方向内側に変位してカード用トレイ６０の第３凹部６６ａに入り込む。そして、カード用トレイ６０の挿入が進行してカード用トレイ６０がイジェクトアーム４２の他端４２ｂに当接した状態では、第１ロックばね５１のロック部５１ｂは、第１凹部６５ａの前側に位置する傾斜面によって幅方向外側に変位する。また、第２ロックばね５２のロック部５２ｂは、第３凹部６６ａの前側に位置する傾斜面によって幅方向外側に変位する。
【００３０】
ここで、第１ロックばね５１のロック部５１ｂが幅方向外側に変位した状態では、図７及び図８（Ａ），（Ｂ）に示すように、第１ロックばね５１の自由端５１ｄは、押圧部材４１に形成された開口部４１ｄを通過する。
更に、カード用トレイ６０の挿入が進行すると、第１ロックばね５１のロック部５１ｂは更に幅方向外側に変位して第１凹部６５ａを抜け出る。また、第２ロックばね５２のロック部５２ｂも更に幅方向外側に変位して第３凹部６６ａを抜け出る。ロック部５１ｂが第１凹部６５ａを抜け出る際に、第１凹部６５ａの前側に位置する傾斜面上を移動するから、ロック部５１ｂは第１凹部６５ａを容易に抜け出ることができる。また、ロック部５２ｂが第３凹部６６ａを抜け出る際に、第３凹部６６ａの前側に位置する傾斜面上を移動するから、ロック部５２ｂも第３凹部６６ａを容易に抜け出ることができる。この時も、第１ロックばね５１の自由端５１ｄは、押圧部材４１に形成された開口部４１ｄを通過している。また、この際、カード用トレイ６０の先端がイジェクトアーム４２の他端４２ｂを押圧し、イジェクトアーム４２が時計回り方向に回転する。これにより、イジェクトアーム４２の一端４２ａに押圧されて押圧部材４１が前方向（トレイ排出方向）にスライドする。
【００３１】
そして、カード用トレイ６０の挿入が完了すると、図９（Ａ）に示すように、第１ロックばね５１のロック部５１ｂは幅方向内側に変位して元の状態に戻り第２凹部６５ｂに入り込む。これにより、カード用トレイ６０をロックする。また、第２ロックばね５２のロック部５２ｂも第４凹部６６ｂに入り込んでカード用トレイ６０をロックする。
また、図９に示すようにカード用トレイ６０の挿入が完了するときには、カード用トレイ６０の先端がイジェクトアーム４２の他端４２ｂを押圧し、イジェクトアーム４２が更に時計回り方向に回転する。これにより、イジェクトアーム４２の一端４２ａに押圧されて押圧部材４１が更に前方向（トレイ排出方向）にスライドする。そして、第１ロックばね５１の自由端５１ｄが押圧部材４１の側面に当接する。また、これと同時に、第１ロックばね５１の第２凸部５１ｅが押圧部材４１の第１凸部４１ｃに当接する。
【００３２】
このように、第１ロックばね５１のロック部５１ｂがカード用トレイ６０の第２凹部６５ｂをロックした時には、第１ロックばね５１は、自由端５１ｄ及び第２凸部５１ｅの２点によって押圧部材４１に支持される。このため、第１ロックばね５１の固定端５１ｃから自由端５１ｄまでの間は一点で支持されるよりも変形し難くなる。これにより、ロック部５１ｂに過大な荷重がかかった際に、ロック部５１ｂが潰れる方向に変形してしまうおそれを少なくすることができる。従って、第１ロックばね５１の保持力を向上させることができる。
【００３３】
なお、第１ロックばね５１の第２凸部５１ｅは、ロック部５１ｂを挟んで自由端５１ｄと反対側であって、ロック部５１ｂの近傍に設けられている。このため、ロック部５１ｂは、第２凸部５１ｅで支持されるため、ロック部５１ｂが潰れる方向に変形してしまうおそれをより少なくすることができる。
次に、カード用トレイ６０の挿入が完了した状態からカード用トレイ６０を排出するときには、図１０に示すように、ピン７０を用いてカード用トレイ６０を排出する。具体的に述べると、ピン７０をカード用トレイ６０のピン用貫通孔６４を挿通させてハウジング１０の前方から押圧部材４１の他端４１ｂに当接させる。
【００３４】
そして、ピン７０が押圧部材４１の他端４１ｂに当接した状態からピン７０を後方向（矢印Ｘで示すトレイ挿入方向）に押圧する。すると、押圧部材４１が後方向にスライドし、押圧部材４１の一端４１ａがイジェクトアーム４２の一端４２ａを押圧し、イジェクトアーム４２が反時計回り方向に回転する。これにより、イジェクアーム４２の他端４２ｂに押圧されてカード用トレイ７０が前方向（矢印Ｙで示すトレイ排出方向）に移動する。
【００３５】
ここで、押圧部材４１が後方向にスライドする前には、第１ロックばね５１の自由端５１ｄが押圧部材４１の側面に当接し、また、第１ロックばね５１の第２凸部５１ｅが押圧部材４１の第１凸部４１ｃに当接している。このため、押圧部材４１の第１ロックばね５１に対する当接は、押圧部材４１の側面と第１ロックばね５１の自由端５１ｄ、押圧部材４１の第１凸部４１ｃと第１ロックばね５１の第２凸部５１ｅとの凸凸同士で達成されている。これにより、押圧部材４１が後方向へスライドする際に、それらの当接状態を容易に解除でき、押圧部材４１を後方向へ容易にスライドさせることができる。そして、押圧部材４１が後方向にスライドすると、第１ロックばね５１の自由端５１ｄは、押圧部材４１の開口部４１ｄの側部に位置する。
【００３６】
そして、カード用トレイ６０が前方向（矢印Ｙで示すトレイ排出方向）に移動すると、第１ロックばね５１のロック部５１ｂはカード用トレイ６０の第２凹部６５ｂから出る。また、第２ロックばね５２のロック部５２ｂもカード用トレイ６０の第４凹部６６ｂから出る。これにより、ロック機構５０によるカード用トレイ６０のロックが解除される。そして、第１ロックばね５１のロック部５１ｂは、カード用トレイ６０の右側縁に沿って幅方向外側に変位する。このとき、第１ロックばね５１の自由端５１ｄは、押圧部材４１の開口部４１ｄを通過する。
【００３７】
このように、第１ロックばね５１の自由端５１ｄは、押圧部材４１の開口部４１ｄを通過するので、押圧部材４１のスライド動作に際して第１ロックばね５１の自由端５１ｄは支障とならない。
更にピン７０を後方向に押圧すると、押圧部材４１が更に後方向にスライドし、押圧部材４１の一端４１ａがイジェクトアーム４２の一端４２ａを押圧し、イジェクトアーム４２が更に反時計回り方向に回転する。これにより、イジェクアーム４２の他端４２ｂに押圧されてカード用トレイ６０が更に前方向（トレイ排出方向）に移動し、図１１に示すように、カード用トレイ６０の排出が完了する。この際に、第１ロック部材５１のロック部５１ｂはカード用トレイ６０の第１凹部６５ａの前側に位置する傾斜面に位置し、幅方向内側に変位する。また、第２ロック部材５２のロック部５２ｂもカード用トレイ６０の第３凹部６６ａの前側に位置する傾斜面に位置し、幅方向内側に変位する。このとき、第１ロック部材５１のロック部５１ｂの自由端５１ｄは、押圧部材４１の開口部４１ｄから通過したままである。
【００３８】
そして、作業者は、図１１に示す状態からカードＣを搭載したカード用トレイ６０を引き出せばよい。カード用トレイ６０が引き出されると、第１ロックばね５１は、図５に示す初期の状態に戻る。また、同様に、第２ロックばね５２も初期の状態に戻る。このとき、第１ロックばね５１のロック部５１ｂは第１凹部６５ａから抜き出るが、第１凹部６５ａの後側に位置する傾斜面を通過するから、ロック部５１は第１凹部６５ａから容易に抜き出ることができる。
【００３９】
以上、本考案の実施形態について説明してきたが、本発明はこれに限定されずに種々の変更、改良を行うことができる。
例えば、コネクタ１に挿入される挿入体として、カードＣを搭載したカード用トレイ６０を例に説明したが、カードＣ単体であってもよいし、あるいは、カード用トレイ６０単体であってもよい。カードＣ単体を挿入体とする場合には、第１ロックばね５１のロック部５１ｂがロックする被ロック部をカードＣの側縁に形成する必要がある。
【００４０】
また、第１ロックばね５１の第２凸部５１ｅは、固定端５１ｃと自由端５１ｄとの間であれば、ロック部５１ｂを挟んで自由端５１ｄと反対側のロック部５１ｂの近傍に設けられている必要は必ずしもない。
さらに、第１凸部４１ｃ及び第２凸部５１ｅの少なくとも一方は、湾曲状態で突出する代わりに、金属板に突出形成されたエンボス等であってもよい。
【符号の説明】
【００４１】
１  コネクタ
１０  ハウジング
２０  コンタクト
４０  イジェクタ機構
４１  押圧部材
４１ａ  押圧部材の一端
４１ｂ  押圧部材の他端
４１ｃ  第１凸部
４１ｄ  開口部
４２  イジェクトアーム
５０  ロック機構
５１  第１ロックばね（ロックばね）
５１ｂ  ロック部
５１ｃ  固定端
５１ｄ  自由端
５１ｅ  第２凸部
５２  第２ロックばね
６０  カード用トレイ（挿入体）
６５ｂ  第２凹部（被ロック部）
Ｃ  カード
【図１】
0003189346.tif 000003
【図２】
0003189346.tif 000004
【図３】
0003189346.tif 000005
【図４】
0003189346.tif 000006
【図５】
0003189346.tif 000007
【図６】
0003189346.tif 000008
【図７】
0003189346.tif 000009
【図８】
0003189346.tif 000010
【図９】
0003189346.tif 000011
【図１０】
0003189346.tif 000012
【図１１】
0003189346.tif 000013